(57)【要約】【課題】複数の回路系統を備える作業機に用いられるスプリットフローポンプの吐出流量を簡素な構成で調整する。【解決手段】本発明は、作動油を第一吐出ポート１２と第二吐出ポート１３とから吐出するスプリットフロー型の油圧ポンプ１０と、操作弁２１〜２３がノーマル位置にある状態で第一吐出通路１２をタンク１９に連通させる第一中立通路２５を有する第一回路系統２０と、操作弁３１〜３４がノーマル位置にある状態で第二吐出ポート１３をタンク１９に連通させる第二中立通路３５を有する第二回路系統３０と、第一中立通路２５の操作弁２１〜２３の下流の作動油と、第二中立通路３５の操作弁３１〜３４の下流の作動油とのうち圧力の低い方を選択して連通させる低圧選択回路４０とを備え、油圧ポンプ１０は、低圧選択回路４０によって選択された作動油の圧力をパイロット圧として、当該圧力が低いほど吐出流量が多くなるように調整される。【選択図】図２
2015143531.tif 000002
【特許請求の範囲】
【請求項１】
第一アクチュエータと第二アクチュエータとを有する作業機を制御する作業機の制御システムであって、
作動流体を第一吐出ポートと第二吐出ポートとから吐出するスプリットフロー型の流体圧ポンプと、
前記第一吐出ポートから吐出された作動流体が供給され、前記第一アクチュエータを制御する第一操作弁と当該第一操作弁がノーマル位置にある状態で前記第一吐出ポートをタンクに連通させる第一中立通路とを有する第一回路系統と、
前記第二吐出ポートから吐出された作動流体が供給され、前記第二アクチュエータを制御する第二操作弁と当該第二操作弁がノーマル位置にある状態で前記第二吐出ポートをタンクに連通させる第二中立通路とを有する第二回路系統と、
前記第一中立通路の前記第一操作弁の下流の作動流体と、前記第二中立通路の前記第二操作弁の下流の作動流体とのうち圧力の低い方を選択して連通させる低圧選択回路と、を備え、
前記流体圧ポンプは、前記低圧選択回路によって選択された作動流体の圧力が低いほど吐出流量が多くなるように調整されることを特徴とする作業機の制御システム。
【請求項２】
前記流体圧ポンプは、前記低圧選択回路によって選択された作動流体の圧力をパイロット圧として制御される単一のレギュレータによって傾転角が調整される斜板を備え、前記レギュレータによって吐出流量が調整されることを特徴とする請求項１に記載の作業機の制御システム。
【請求項３】
前記低圧選択回路は、
前記第一中立通路と前記第二中立通路のうち高圧側の作動流体を選択する高圧選択弁と、
前記高圧選択弁で選択された作動流体の圧力によって切り換えられ、前記第一中立通路と前記第二中立通路とのうち高圧側の作動流体を遮断し、低圧側の作動流体を前記パイロット圧として前記レギュレータに導く切換弁と、を備えることを特徴とする請求項２に記載の作業機の制御システム。
【請求項４】
前記切換弁は、
前記第一中立通路からの作動流体を遮断可能な第一切換弁と、
前記第二中立通路からの作動流体を遮断可能な第二切換弁と、を備え、
前記第一切換弁と前記第二切換弁との一方は、前記高圧選択弁で選択された作動流体の圧力によって連通状態に切り換えられ、通過した作動流体が前記パイロット圧として前記レギュレータに導かれることを特徴とする請求項３に記載の作業機の制御システム。
【請求項５】
第一流体通路と第二流体通路のうち高圧側の作動流体を選択する高圧選択弁と、
前記高圧選択弁で選択された作動流体の圧力によって切り換えられ、前記第一流体通路と前記第二流体通路とのうち高圧側の作動流体を遮断し、低圧側の作動流体を連通させる切換弁と、を備えることを特徴とする低圧選択回路。
【発明の詳細な説明】
【技術分野】
【０００１】
本発明は、作業機の制御システム及び低圧選択回路に関する。
【背景技術】
【０００２】
従来から、複数の回路系統を備え、複数の油圧ポンプからそれぞれの回路系統に作動油が供給される油圧ショベル等の作業機が知られている。特許文献１には、第一ポンプ，第二ポンプ，及び第三ポンプからそれぞれの回路系統に作動油を供給する掘削旋回作業機が開示されている。
【先行技術文献】
【特許文献】
【０００３】
【特許文献１】特開平１０−０８８６２７号公報
【発明の概要】
【発明が解決しようとする課題】
【０００４】
ところで、油圧ショベル等の作業機では、二つの油圧ポンプに代えて、単一のシリンダブロックに吐出ポートが二段に分けて配設されて同時に二系統の作動油の吐出が可能なスプリットフローポンプが用いられる場合がある。スプリットフローポンプを用いた場合には、二つの回路系統への作動油の吐出流量は同一である。そのため、二つの回路系統の各々において操作弁が切り換えられてアクチュエータが動作しているか否かを圧力センサ等によって検出し、スプリットフローポンプの吐出流量を調整する必要がある。
【０００５】
本発明は、上記の問題点に鑑みてなされたものであり、複数の回路系統を備える作業機にスプリットフローポンプを用いた場合に、スプリットフローポンプの吐出流量を簡素な構成で調整可能とすることを目的とする。
【課題を解決するための手段】
【０００６】
本発明は、第一アクチュエータと第二アクチュエータとを有する作業機を制御する作業機の制御システムであって、作動流体を第一吐出ポートと第二吐出ポートとから吐出するスプリットフロー型の流体圧ポンプと、前記第一吐出ポートから吐出された作動流体が供給され、前記第一アクチュエータを制御する第一操作弁と当該第一操作弁がノーマル位置にある状態で前記第一吐出ポートをタンクに連通させる第一中立通路とを有する第一回路系統と、前記第二吐出ポートから吐出された作動流体が供給され、前記第二アクチュエータを制御する第二操作弁と当該第二操作弁がノーマル位置にある状態で前記第二吐出ポートをタンクに連通させる第二中立通路とを有する第二回路系統と、前記第一中立通路の前記第一操作弁の下流の作動流体と、前記第二中立通路の前記第二操作弁の下流の作動流体とのうち圧力の低い方を選択して連通させる低圧選択回路と、を備え、前記流体圧ポンプは、前記低圧選択回路によって選択された作動流体の圧力が低いほど吐出流量が多くなるように調整されることを特徴とする。
【発明の効果】
【０００７】
本発明では、第一回路系統と第二回路系統との一方の操作弁が操作されてアクチュエータが動作した場合には、当該回路系統の中立通路の下流における作動流体の圧力が低下する。そのため、低下した側の作動流体の圧力が低圧選択回路によって選択され、当該圧力をパイロット圧として流体圧ポンプの吐出流量が多くなるように調整される。よって、流体圧ポンプは、操作弁が操作されていない場合には、最低限の吐出流量に調整され、いずれかの操作弁が操作された場合には、アクチュエータの動作に必要な吐出流量に調整される。したがって、作動流体を第一吐出ポートと第二吐出ポートとから按分して吐出する流体圧ポンプの吐出流量を簡素な構成で調整することができる。
【図面の簡単な説明】
【０００８】
【図１】本発明の実施の形態に係る作業機の制御システムが適用される作業機の構成図である。
【図２】本発明の実施の形態に係る作業機の制御システムの回路図である。
【図３】図２における低圧選択回路の拡大図である。
【図４】低圧選択回路の変形例を説明する図である。
【発明を実施するための形態】
【０００９】
以下、図面を参照して、本発明の実施の形態に係る作業機の制御システム（以下、単に「制御システム」と称する。）１００について説明する。
【００１０】
まず、図１を参照して、制御システム１００が適用される作業機としての油圧ショベル１について説明する。ここでは、作業機が油圧ショベル１である場合について説明するが、制御システム１００は、ホイールローダ等の他の作業機にも適用可能である。また、ここでは、作動流体として作動油が用いられるが、作動水等の他の流体を作動流体として用いてもよい。
【００１１】
油圧ショベル１は、クローラ式の走行部２と、走行部２の上部に旋回可能に設けられる旋回部３と、旋回部３の前方中央部に設けられる掘削部５と、を備える。
【００１２】
走行部２は、走行モータ（図示省略）によって左右一対のクローラ２ａを駆動することで油圧ショベル１を走行させる。旋回部３は、旋回モータ（図示省略）によって駆動され、走行部２に対して左右方向に旋回する。
【００１３】
掘削部５は、旋回部３の左右方向に延びる水平軸まわりに回動可能に支持されるブーム６と、ブーム６の先端に回動可能に支持されるアーム７と、アーム７の先端に回動可能に支持されて土砂等を掘削するバケット８と、を備える。また、掘削部５は、ブーム６を上下に回動させるブームシリンダ６ａと、アーム７を上下に回動させるアームシリンダ７ａと、バケット８を回動させるバケットシリンダ８ａと、を備える。
【００１４】
次に、図２及び図３を参照して、制御システム１００の構成について説明する。
【００１５】
制御システム１００は、作動油を吐出する流体圧ポンプとしての油圧ポンプ１０と、第一吐出ポート１２から吐出された作動油が供給される第一回路系統２０と、第二吐出ポート１３から吐出された作動油が供給される第二回路系統３０と、第一回路系統２０における第一中立通路２５の操作弁２１〜２３の下流の作動油と第二回路系統３０における第二中立通路３５の操作弁３１〜３４の下流の作動油とのうち圧力の低い方を選択して連通させる低圧選択回路４０と、を備える。
【００１６】
制御システム１００は、油圧ショベル１の複数のアクチュエータの動作を制御するものである。制御システム１００は、油圧ポンプ１０の他に、旋回モータ等の他のアクチュエータを有する第三回路系統（図示省略）に作動油を供給する他のポンプ（図示省略）を備える。
【００１７】
油圧ポンプ１０は、エンジン（図示省略）によって駆動される。油圧ポンプ１０は、単一のシリンダブロック（図示省略）に第一吐出ポート１２と第二吐出ポート１３とが二段に分けて配設されて同時に二系統の作動油の吐出が可能なスプリットフロー型のポンプである。油圧ポンプ１０は、第一吐出ポート１２と第二吐出ポート１３とから作動油を按分して吐出する。
【００１８】
油圧ポンプ１０は、パイロット圧で制御されるレギュレータ１１によって傾転角が調整される斜板（図示省略）を備え、斜板の傾転角によって吐出流量が調整される可変容量型ポンプである。油圧ポンプ１０は、低圧選択回路４０によって選択された作動油の圧力をパイロット圧として、当該パイロット圧が低いほど吐出流量が多くなるように斜板の傾転角が調整される。油圧ポンプ１０では、単一のレギュレータ１１によって、第一吐出ポート１２と第二吐出ポート１３とから吐出される作動油の吐出流量が調整される。
【００１９】
油圧ポンプ１０から吐出された作動油は、第一吐出ポート１２に接続される第一吐出通路１５と、第二吐出ポート１３に接続される第二吐出通路１６と、を通じて、第一回路系統２０と第二回路系統３０とにそれぞれ供給される。
【００２０】
第一吐出通路１５と第二吐出通路１６との下流には、所定のメインリリーフ圧を超えると開弁して作動油圧をメインリリーフ圧以下に保つメインリリーフ弁１８が設けられる。第一吐出通路１５と第二吐出通路１６とには、メインリリーフ弁１８への作動油の流れのみを許容するチェック弁１５ａ，１６ａがそれぞれ設けられる。所定のメインリリーフ圧は、後述する各操作弁２１〜２３，３１〜３４の最低作動圧を充分に確保できる程度に高く設定される。
【００２１】
第一回路系統２０は、上流側から順に、左側のクローラ２ａの走行モータを制御する操作弁２１と、ブームシリンダ６ａを制御する操作弁２２と、バケットシリンダ８ａを制御する操作弁２３と、を備える。これらの操作弁２１〜２３が第一操作弁に該当し、走行用モータとブームシリンダ６ａとバケットシリンダ８ａとが第一アクチュエータに該当する。第一回路系統２０は、操作弁２１〜２３が全てノーマル位置にある状態で第一吐出通路１５をタンク１９に連通させる第一中立通路２５と、第一中立通路２５と並列に設けられるパラレル通路２６と、を備える。
【００２２】
第一中立通路２５における操作弁２３の下流側には、ネガティブコントロール圧としてのパイロット圧を生成するための絞り２７が設けられる。絞り２７には、絞り２７の上流側に生成されるパイロット圧が所定のパイロットリリーフ圧を超えると開弁してパイロット圧をパイロットリリーフ圧以下に保つパイロットリリーフ弁２８が並列に設けられる。所定のパイロットリリーフ圧は、絞り２７に異常圧が生じない程度にメインリリーフ弁１８のメインリリーフ圧より低く設定される。
【００２３】
絞り２７の上流側には、第一パイロット通路２９が接続される。第一パイロット通路２９には、絞り２７によって生成されたパイロット圧が導かれる。第一パイロット通路２９は、低圧選択回路４０に接続される。
【００２４】
各操作弁２１〜２３は、油圧ポンプ１０から各アクチュエータへ導かれる作動油の流量を制御して、各アクチュエータの動作を制御する。各操作弁２１〜２３は、油圧ショベル１のオペレータが操作レバーを手動操作することに伴って供給されるパイロット圧によって操作される。
【００２５】
操作弁２１は、通常は一対のセンタリングスプリングの付勢力によってノーマル位置にあり、パイロット通路２１ａ，２１ｂから供給されるパイロット圧によって第一切換位置，第二切換位置に切り換えられる。操作弁２２は、通常は一対のリターンスプリングの付勢力によってノーマル位置にあり、パイロット通路２２ａ，２２ｂから供給されるパイロット圧によって第一切換位置，第二切換位置に切り換えられる。操作弁２３は、通常は一対のリターンスプリングの付勢力によってノーマル位置にあり、パイロット通路２３ａ，２３ｂから供給されるパイロット圧によって第一切換位置，第二切換位置に切り換えられる。
【００２６】
第二回路系統３０は、上流側から順に、右側のクローラ２ａの走行モータを制御する操作弁３１と、予備のアクチュエータを制御する操作弁３２と、同じく予備のアクチュエータを制御する操作弁３３と、アームシリンダ７ａを制御する操作弁３４と、を備える。これらの操作弁３１〜３４が第二操作弁に該当し、走行用モータと予備のアクチュエータとアームシリンダ７ａとが第二アクチュエータに該当する。第二回路系統３０は、操作弁３１〜３４が全てノーマル位置にある状態で第二吐出通路１６をタンク１９に連通させる第二中立通路３５と、第二中立通路３５と並列に設けられるパラレル通路３６と、を備える。
【００２７】
第二中立通路３５における操作弁３４の下流側には、ネガティブコントロール圧としてのパイロット圧を生成するための絞り３７が設けられる。絞り３７には、絞り３７の上流側に生成されるパイロット圧が所定のパイロットリリーフ圧を超えると開弁してパイロット圧をパイロットリリーフ圧以下に保つパイロットリリーフ弁３８が並列に設けられる。所定のパイロットリリーフ圧は、絞り３７に異常圧が生じない程度にメインリリーフ弁１８のメインリリーフ圧より低く設定される。
【００２８】
絞り３７の上流側には第二パイロット通路３９が接続される。第二パイロット通路３９には、絞り３７によって生成されたパイロット圧が導かれる。第二パイロット通路３９は、低圧選択回路４０に接続される。
【００２９】
各操作弁３１〜３４は、油圧ポンプ１０から各アクチュエータへ導かれる作動油の流量を制御して、各アクチュエータの動作を制御する。各操作弁３１〜３４は、油圧ショベル１のオペレータが操作レバーを手動操作することに伴って供給されるパイロット圧によって操作される。
【００３０】
操作弁３１は、通常は一対のセンタリングスプリングの付勢力によってノーマル位置にあり、パイロット通路３１ａ，３１ｂから供給されるパイロット圧によって第一切換位置，第二切換位置に切り換えられる。操作弁３２は、通常は一対のリターンスプリングの付勢力によってノーマル位置にあり、パイロット通路３２ａ，３２ｂから供給されるパイロット圧によって第一切換位置，第二切換位置に切り換えられる。操作弁３３は、通常は一対のリターンスプリングの付勢力によってノーマル位置にあり、パイロット通路３３ａ，３３ｂから供給されるパイロット圧によって第一切換位置，第二切換位置に切り換えられる。操作弁３４は、通常は一対のリターンスプリングの付勢力によってノーマル位置にあり、パイロット通路３４ａ，３４ｂから供給されるパイロット圧によって第一切換位置，第二切換位置に切り換えられる。
【００３１】
図２に示すように、低圧選択回路４０は、第一流体通路としての第一中立通路２５と第二流体通路としての第二中立通路３５とのうち高圧側の作動油を選択する高圧選択弁としてのシャトル弁４１と、シャトル弁４１で選択された作動油の圧力によって切り換えられ、第一中立通路２５と第二中立通路３５とのうち高圧側の作動油を遮断し、低圧側の作動油をパイロット圧としてパイロット通路１１ａを通じてレギュレータ１１に導く切換弁としての第一切換弁４５及び第二切換弁４６と、を備える。
【００３２】
シャトル弁４１は、第一中立通路２５に接続される第一パイロット通路２９と第二中立通路３５に接続される第二パイロット通路３９とのうち高圧側のいずれか一方の作動油を選択してパイロット通路４１ａに導く。
【００３３】
図３に示すように、第一切換弁４５は、第一パイロット通路２９からの作動油を遮断する遮断位置４５ａと、第一パイロット通路２９からの作動油を連通させる連通位置４５ｂと、を備える。第一切換弁４５は、一方にパイロット通路４１ａのパイロット圧が作用し、他方にリターンスプリング４５ｃの付勢力とパイロット通路４５ｄのパイロット圧とが作用するスプール（図示省略）を備える。パイロット通路４５ｄには、第一パイロット通路２９の作動油圧が導かれる。
【００３４】
同様に、第二切換弁４６は、第二パイロット通路３９からの作動油を遮断する遮断位置４６ａと、第二パイロット通路３９からの作動油を連通させる連通位置４６ｂと、を備える。第二切換弁４６は、一方にパイロット通路４１ａのパイロット圧が作用し、他方にリターンスプリング４６ｃの付勢力とパイロット通路４６ｄのパイロット圧とが作用するスプール（図示省略）を備える。パイロット通路４６ｄには、第二パイロット通路３９の作動油圧が導かれる。
【００３５】
第一切換弁４５と第二切換弁４６との一方は、シャトル弁４１で選択された作動油の圧力によって連通位置４５ｂ，４６ｂに切り換えられ、通過した作動油がパイロット圧としてレギュレータ１１に導かれる。
【００３６】
以下、制御システム１００の作用について説明する。
【００３７】
まず、油圧ショベル１の全てのアクチュエータが動作しておらず、第一回路系統２０の操作弁２１〜２３と第二回路系統３０の操作弁３１〜３４とが全てノーマル位置にある場合について説明する。
【００３８】
油圧ポンプ１０から吐出された作動油は、第一中立通路２５と第二中立通路３５に按分されて低圧選択回路４０に導かれる。低圧選択回路４０には、第一中立通路２５に接続される第一パイロット通路２９のパイロット圧と、第二中立通路３５に接続される第二パイロット通路３９のパイロット圧と、が導かれる。第一パイロット通路２９のパイロット圧と第二パイロット通路３９のパイロット圧とは、配管抵抗等によって大きさが異なる。ここでは、第一パイロット通路２９のパイロット圧が第二パイロット通路３９のパイロット圧よりも高い場合について説明する。
【００３９】
シャトル弁４１は、高圧側である第一パイロット通路２９のパイロット圧をパイロット通路４１ａに導く。そして、第一切換弁４５は、パイロット通路４５ｄのパイロット圧とパイロット通路４１ａのパイロット圧とが略同一であるため、リターンスプリング４５ｃの付勢力によって遮断位置４５ａに切り換えられる。一方、第二切換弁４６は、パイロット通路４６ｄのパイロット圧がパイロット通路４１ａのパイロット圧と比較して低いため、その差圧がリターンスプリング４６ｃの付勢力に打ち勝って連通位置４６ｂに切り換えられる。
【００４０】
このように、第二切換弁４６を通過した第二パイロット通路３９のパイロット圧が、パイロット通路１１ａを通じて油圧ポンプ１０のレギュレータ１１に導かれる。このとき、第一回路系統２０の操作弁２１〜２３と第二回路系統３０の操作弁３１〜３４とは、全てノーマル位置にある。そのため、各アクチュエータに作動油が導かれず、レギュレータ１１に導かれるパイロット圧は比較的高い。よって、油圧ポンプ１０は、吐出流量が少なくなるように斜板の傾転角が調整される。したがって、油圧ポンプ１０は、操作弁２１〜２３，３１〜３４が操作されていない場合には、最低限の吐出流量に調整される。
【００４１】
次に、油圧ショベル１のブーム６が回動するように操作された場合を例として説明する。
【００４２】
ブーム６が回動する際には、オペレータが操作レバーを操作することによって、パイロット通路２２ａ又はパイロット通路２２ｂからパイロット圧が供給されて、操作弁２２が第一切換位置又は第二切換位置に切り換えられる。これにより、油圧ポンプ１０の第一吐出ポート１２から第一回路系統２０に導かれる作動油の一部が、操作弁２２からブームシリンダ６ａに導かれる。そのため、操作弁２２より下流の第一中立通路２５の作動油圧は、ブーム６が回動していない場合と比較して低下する。
【００４３】
このとき、低圧選択回路４０に導かれる第一パイロット通路２９のパイロット圧は、第二パイロット通路３９のパイロット圧と比較して低くなっている。よって、シャトル弁４１は、高圧側である第二パイロット通路３９のパイロット圧をパイロット通路４１ａに導く。
【００４４】
第一切換弁４５は、パイロット通路４５ｄのパイロット圧がパイロット通路４１ａのパイロット圧と比較して低いため、その差圧がリターンスプリング４５ｃの付勢力に打ち勝って連通位置４５ｂに切り換えられる。一方、第二切換弁４６は、パイロット通路４６ｄのパイロット圧とパイロット通路４１ａのパイロット圧とが略同一であるため、リターンスプリング４６ｃの付勢力によって遮断位置４６ａに切り換えられる。
【００４５】
このように、第一切換弁４５を通過した第一パイロット通路２９のパイロット圧が、パイロット通路１１ａを通じて油圧ポンプ１０のレギュレータ１１に導かれる。このとき、第一回路系統２０の操作弁２２が第一切換位置又は第二切換位置に切り換えられている。そのため、レギュレータ１１に導かれるパイロット圧は、操作弁２２がノーマル位置にある場合と比較して低くなっている。よって、油圧ポンプ１０は、吐出流量が多くなるように斜板の傾転角が調整される。
【００４６】
以上のように、第一回路系統２０の操作弁２２が操作されてブームシリンダ６ａが動作した場合には、第一回路系統２０の第一中立通路２５の下流における作動油の圧力が低下する。そのため、低下した側の第一パイロット通路２９のパイロット圧が低圧選択回路４０によって選択され、選択されたパイロット圧によって油圧ポンプ１０の吐出流量が多くなるように調整される。したがって、操作弁２２が操作された場合には、ブームシリンダ６ａの動作に必要な吐出流量に調整される。
【００４７】
一方、例えば、油圧ショベル１のアーム７が回動するように操作された場合には、油圧ポンプ１０の第二吐出ポート１３から第二回路系統３０に導かれる作動油の一部が、操作弁３４からアームシリンダ７ａに導かれる。そして、同様の作用によって、第二パイロット通路３９のパイロット圧が低圧選択回路４０によって選択され、選択されたパイロット圧によって油圧ポンプ１０の吐出流量が多くなるように調整される。したがって、操作弁３４が操作された場合には、アームシリンダ７ａの動作に必要な吐出流量に調整される。
【００４８】
したがって、制御システム１００では、低圧選択回路４０を用いることで、圧力センサやコントローラ等を用いることなく、簡素な構成で油圧ポンプ１０の吐出流量を調整することができる。
【００４９】
以上の実施の形態によれば、以下に示す効果を奏する。
【００５０】
第一回路系統２０の操作弁２１〜２３が操作されてアクチュエータが動作した場合には、第一回路系統２０の第一中立通路２５の下流における作動油の圧力が低下する。そのため、第一パイロット通路２９のパイロット圧が低圧選択回路４０によって選択され、油圧ポンプ１０の吐出流量が多くなるように調整される。
【００５１】
同様に、第二回路系統３０の操作弁３１〜３４が操作されてアクチュエータが動作した場合には、第二回路系統３０の第二中立通路３５の下流における作動油の圧力が低下する。そのため、第二パイロット通路３９のパイロット圧が低圧選択回路４０によって選択され、油圧ポンプ１０の吐出流量が多くなるように調整される。
【００５２】
よって、油圧ポンプ１０は、操作弁２１〜２３，３１〜３４が操作されていない場合には、最低限の吐出流量に調整され、操作弁２１〜２３，３１〜３４のいずれかが操作された場合には、アクチュエータの動作に必要な吐出流量に調整される。したがって、圧力センサやコントローラ等を用いることなく、簡素な構成で油圧ポンプ１０の吐出流量を調整することができる。
【００５３】
次に、図４を参照して、変形例に係る低圧選択回路５０について説明する。低圧選択回路５０は、単一の切換弁５５を備える点で、低圧選択回路４０とは相違する。
【００５４】
低圧選択回路５０は、第一中立通路２５と第二中立通路３５とのうち高圧側の作動油を選択する高圧選択弁としてのシャトル弁４１と、シャトル弁４１で選択された作動油の圧力によって切り換えられ、第一中立通路２５と第二中立通路３５とのうち高圧側の作動油を遮断し、低圧側の作動油をパイロット圧としてパイロット通路１１ａを通じてレギュレータ１１に導く切換弁５５と、を備える。
【００５５】
切換弁５５は、第一パイロット通路２９及び第二パイロット通路３９からの作動油を遮断してパイロット通路４１ａからの作動油のみを連通させる第一切換位置５５ａと、第二パイロット通路３９からの作動油のみを連通させる第二切換位置５５ｂと、第一パイロット通路２９からの作動油のみを連通させる第三切換位置５５ｃと、を備える。切換弁５５は、一方にセンタリングスプリング５５ｄの付勢力とパイロット通路５５ｆのパイロット圧とが作用し、他方にセンタリングスプリング５５ｅの付勢力とパイロット通路５５ｇのパイロット圧とが作用するスプール（図示省略）を備える。パイロット通路５５ｆには、第一パイロット通路２９の作動油圧が導かれ、パイロット通路５５ｇには、第二パイロット通路３９の作動油圧が導かれる。
【００５６】
切換弁５５は、第一パイロット通路２９と第二パイロット通路３９とのパイロット圧に殆ど差がない場合には、センタリングスプリング５５ｄ，５５ｅの付勢力によって第一切換位置５５ａに切り換えられる。
【００５７】
切換弁５５は、第一パイロット通路２９のパイロット圧が第二パイロット通路３９のパイロット圧と比較して高い場合には、パイロット通路５５ｆのパイロット圧によって第二切換位置５５ｂに切り換えられる。これにより、第一パイロット通路２９と比較して圧力が低い第二パイロット通路３９のパイロット圧が、パイロット通路１１ａを通じて油圧ポンプ１０のレギュレータ１１に導かれる。
【００５８】
同様に、切換弁５５は、第二パイロット通路３９のパイロット圧が第一パイロット通路２９のパイロット圧と比較して高い場合には、パイロット通路５５ｇのパイロット圧によって第三切換位置５５ｃに切り換えられる。これにより、第二パイロット通路３９と比較して圧力が低い第一パイロット通路２９のパイロット圧が、パイロット通路１１ａを通じて油圧ポンプ１０のレギュレータ１１に導かれる。
【００５９】
このように、低圧選択回路５０を用いた場合にも、低圧選択回路４０と同様に、油圧ポンプ１０は、操作弁２１〜２３，３１〜３４が操作されていない場合には、最低限の吐出流量に調整され、操作弁２１〜２３，３１〜３４のいずれかが操作された場合には、アクチュエータの動作に必要な吐出流量に調整される。したがって、圧力センサやコントローラ等を用いることなく、簡素な構成で油圧ポンプ１０の吐出流量を調整することができる。
【００６０】
また、低圧選択回路５０では、単一の切換弁５５が用いられるため、第一切換弁４５と第二切換弁と４６が切換弁として用いられる低圧選択回路４０と比較してコストを低減することが可能である。
【００６１】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００６２】
１００    作業機の制御システム
１        油圧ショベル（作業機）
１０      油圧ポンプ（流体圧ポンプ）
１１      レギュレータ
１２      第一吐出ポート
１３      第二吐出ポート
１６      第二吐出通路
１９      タンク
２０      第一回路系統
２１〜２３    操作弁
２５      第一中立通路（第一流体通路）
２９      第一パイロット通路
３０      第二回路系統
３１〜３４    操作弁
３５      第二中立通路（第二流体通路）
３９      第二パイロット通路
４０      低圧選択回路
４１      シャトル弁（高圧選択弁）
４１ａ    パイロット通路
４５      第一切換弁（切換弁）
４５ａ    遮断位置
４５ｂ    連通位置
４６      第二切換弁（切換弁）
５０      低圧選択回路
５５      切換弁
【図１】
2015143531.tif 000003
【図２】
2015143531.tif 000004
【図３】
2015143531.tif 000005
【図４】
2015143531.tif 000006